(57)【特許請求の範囲】
【請求項１】
複数のエアインターフェース上での同時送信をサポートする移動デバイスに対する、電力管理のための方法において、
前記方法は、
第１のエアインターフェースによって送信するために使用される第１の電力レベルを決定することと、
第２のエアインターフェースによって送信するために使用される第２の電力レベルを決定することと、
前記第１の電力レベルと前記第２の電力レベルとの合成を、しきい値電力レベルと比較することと、
前記比較に基づいて、前記第２の電力レベルを調整することと、
前記第１の電力レベルと、前記調整された第２の電力レベルとのうちの少なくとも１つに基づくことを含んで、少なくとも１つの電力ヘッドルーム報告を発生させることと、
前記少なくとも１つの電力ヘッドルーム報告を送信することとを含む方法。
【請求項２】
前記第２の電力レベルを調整することは、前記第１の電力レベルと前記第２の電力レベルとの合計が、前記しきい値電力レベルよりも小さいように、または、前記しきい値電力レベルと等しいように、前記第２の電力レベルを調整することを含む請求項１記載の方法。
【請求項３】
前記比較に基づいて、前記第１の電力レベルを調整することをさらに含み、
前記調整された第１の電力レベルと、前記調整された第２の電力レベルとの合成は、前記しきい値電力レベルよりも小さいか、または、前記しきい値電力レベルと等しい請求項１記載の方法。
【請求項４】
前記第１のエアインターフェースは、電力の割り振りに対して、前記第２のエアインターフェースよりも優先される請求項１記載の方法。
【請求項５】
前記少なくとも１つの電力ヘッドルーム報告を送信することは、前記第１のエアインターフェースによって第１の電力ヘッドルーム報告を送信することと、前記第２のエアインターフェースによって第２の電力ヘッドルーム報告を送信することとを含む請求項１記載の方法。
【請求項６】
複数のエアインターフェース上での同時送信をサポートする移動デバイスに対する、電力管理のための方法において、
前記方法は、
第１のエアインターフェースによって送信するために使用される第１の電力レベルを決定することと、
第２のエアインターフェースによって送信するために使用される第２の電力レベルを決定することと、
前記第１の電力レベルに基づいて、第１の電力ベースのペイロード制約を発生させることと、
前記第１の電力レベルに基づいて、第２の電力ベースのペイロード制約を発生させることと、
前記第１および第２の電力ベースのペイロード制約を送信することとを含む方法。
【請求項７】
送信スケジュールを受信することと、前記送信スケジュールに基づいて、前記第１の電力レベルと、前記第２の電力レベルとのうちの少なくとも１つを調整することとをさらに含む請求項６記載の方法。
【請求項８】
複数のエアインターフェース上での同時送信をサポートする移動デバイスに対する、電力管理のための方法において、
前記方法は、
第１のエアインターフェースによって送信するために使用される第１の電力レベルを決定することと、
前記第１の電力レベルに基づいて、電力ベースのペイロード制約を発生させることと、
第２のエアインターフェースによって送信するために使用される第２の電力レベルに少なくとも基づいて、前記電力ベースのペイロード制約を調整することと、
前記電力ベースのペイロード制約を送信することとを含む方法。
【請求項９】
送信スケジュールを受信することと、前記送信スケジュールに基づいて、前記第１の電力レベルと、前記第２の電力レベルとのうちの少なくとも１つを調整することとをさらに含む請求項８記載の方法。
【請求項１０】
前記第１の電力レベルの変化率に基づいて、前記電力ベースのペイロード制約を調整することをさらに含む請求項８記載の方法。
【請求項１１】
前記第１の電力レベルの変化の方向に基づいて、前記電力ベースのペイロード制約を調整することをさらに含む請求項８記載の方法。
【請求項１２】
複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
第２のエアインターフェースによって送信するために使用される第２の電力レベルを決定するように構成されている第２のインターフェース電力レベル計算機と、
前記第１の電力レベルと前記第２の電力レベルとの合成を、しきい値電力レベルと比較するように構成されているしきい値チェックユニットと、
前記比較に基づいて、前記第２の電力レベルを調整するように構成されている電力制御装置と、
前記第１の電力レベルと、前記調整された第２の電力レベルとのうちの少なくとも１つに基づくことを含んで、少なくとも１つの電力ヘッドルーム報告を発生させるように構成されている電力ベースのペイロード制約発生器と、
前記少なくとも１つの電力ヘッドルーム報告を送信するように構成されている少なくとも１つのトランシーバとを具備する移動デバイス。
【請求項１３】
前記電力制御装置は、前記第１の電力レベルと前記第２の電力レベルとの合計が、前記しきい値電力レベルよりも小さいように、または、前記しきい値電力レベルと等しいように、前記第２の電力レベルを調整することにより、前記第２の電力レベルを調整するようにさらに構成されている請求項１２記載の移動デバイス。
【請求項１４】
前記電力制御装置は、前記比較に基づいて、前記第１の電力レベルを調整するようにさらに構成されており、前記調整された第１の電力レベルと、前記調整された第２の電力レベルとの合成は、前記しきい値電力レベルよりも小さいか、または、前記しきい値電力レベルと等しい請求項１２記載の移動デバイス。
【請求項１５】
前記第１のエアインターフェースは、電力の割り振りに対して、前記第２のエアインターフェースよりも優先される請求項１２記載の移動デバイス。
【請求項１６】
前記少なくとも１つの電力ヘッドルーム報告を送信することは、前記第１のエアインターフェースによって第１の電力ヘッドルーム報告を送信することと、前記第２のエアインターフェースによって第２の電力ヘッドルーム報告を送信することとを含むように、前記少なくとも１つのトランシーバは、さらに構成されている請求項１２記載の移動デバイス。
【請求項１７】
複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
第２のエアインターフェースによって送信するために使用される第２の電力レベルを決定するように構成されている第２のインターフェース電力レベル計算機と、
前記第１の電力レベルに基づいて、第１の電力ベースのペイロード制約を発生させ、前記第１の電力レベルに基づいて、第２の電力ベースのペイロード制約を発生させるように構成されている電力ベースのペイロード制約発生器と、
前記第１および第２の電力ベースのペイロード制約を送信するように構成されているトランシーバとを具備する移動デバイス。
【請求項１８】
前記トランシーバは、送信スケジュールを受信するようにさらに構成されており、前記送信スケジュールに基づいて、前記第１の電力レベルと、前記第２の電力レベルとのうちの少なくとも１つを調整するように構成されている電力制御装置をさらに具備する請求項１７記載の移動デバイス。
【請求項１９】
複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
前記第１の電力レベルに基づいて、電力ベースのペイロード制約を発生させ、第２のエアインターフェースによって送信するために使用される第２の電力レベルに少なくとも基づいて、前記電力ベースのペイロード制約を調整するように構成されている電力ベースのペイロード制約発生器と、
前記電力ベースのペイロード制約を送信するように構成されているトランシーバとを具備する移動デバイス。
【請求項２０】
前記トランシーバは、送信スケジュールを受信するようにさらに構成されており、前記送信スケジュールに基づいて、前記第１の電力レベルと、前記第２の電力レベルとのうちの少なくとも１つを調整するように構成されている電力制御装置をさらに具備する請求項１９記載の移動デバイス。
【請求項２１】
前記電力ベースのペイロード制約発生器は、前記第１の電力レベルの変化率に基づいて、前記電力ベースのペイロード制約を調整するようにさらに構成されている請求項１９記載の移動デバイス。
【請求項２２】
前記第１の電力レベルの変化の方向に基づいて、前記電力ベースのペイロード制約を調整するように構成されている電力制御装置をさらに具備する請求項１９記載の移動デバイス。
【請求項２３】
コンピュータ読み取り可能記憶媒体において、
第１のエアインターフェースによって送信するために使用される第１の電力レベルをコンピュータに決定させるためのコードと、
第２のエアインターフェースによって送信するために使用される第２の電力レベルをコンピュータに決定させるためのコードと、
コンピュータに、前記第１の電力レベルと前記第２の電力レベルとの合成を、しきい値電力レベルと比較させるためのコードと、
前記比較に基づいて、前記第２の電力レベルをコンピュータに調整させるためのコードと、
前記第１の電力レベルと、前記調整された第２の電力レベルとのうちの少なくとも１つに基づくことを含んで、少なくとも１つの電力ヘッドルーム報告をコンピュータに発生させるためのコードと、
前記少なくとも１つの電力ヘッドルーム報告をコンピュータに送信させるためのコードとを含むコンピュータ読み取り可能記憶媒体。
【請求項２４】
コンピュータ読み取り可能記憶媒体において、
第１のエアインターフェースによって送信するために使用される第１の電力レベルをコンピュータに決定させるためのコードと、
第２のエアインターフェースによって送信するために使用される第２の電力レベルをコンピュータに決定させるためのコードと、
前記第１の電力レベルに基づいて、第１の電力ベースのペイロード制約をコンピュータに発生させるためのコードと、
前記第１の電力レベルに基づいて、第２の電力ベースのペイロード制約をコンピュータに発生させるためのコードと、
前記第１および第２の電力ベースのペイロード制約をコンピュータに送信させるためのコードとを含むコンピュータ読み取り可能記憶媒体。
【請求項２５】
コンピュータ読み取り可能記憶媒体において、
第１のエアインターフェースによって送信するために使用される第１の電力レベルをコンピュータに決定させるためのコードと、
前記第１の電力レベルに基づいて、電力ベースのペイロード制約をコンピュータに発生させるためのコードと、
第２のエアインターフェースによって送信するために使用される第２の電力レベルに少なくとも基づいて、前記電力ベースのペイロード制約をコンピュータに調整させるためのコードと、
前記電力ベースのペイロード制約をコンピュータに送信させるためのコードとを含むコンピュータ読み取り可能記憶媒体。
【請求項２６】
複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
第２のエアインターフェースによって送信するために使用される第２の電力レベルを決定する手段と、
前記第１の電力レベルと前記第２の電力レベルとの合成を、しきい値電力レベルと比較する手段と、
前記比較に基づいて、前記第２の電力レベルを調整する手段と、
前記第１の電力レベルと、前記調整された第２の電力レベルとのうちの少なくとも１つに基づくことを含んで、少なくとも１つの電力ヘッドルーム報告を発生させる手段と、
前記少なくとも１つの電力ヘッドルーム報告を送信する手段とを具備するシステム。
【請求項２７】
複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
第２のエアインターフェースによって送信するために使用される第２の電力レベルを決定する手段と、
前記第１の電力レベルに基づいて、第１の電力ベースのペイロード制約を発生させる手段と、
前記第１の電力レベルに基づいて、第２の電力ベースのペイロード制約を発生させる手段と、
前記第１および第２の電力ベースのペイロード制約を送信する手段とを具備するシステム。
【請求項２８】
複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
前記第１の電力レベルに基づいて、電力ベースのペイロード制約を発生させる手段と、
第２のエアインターフェースによって送信するために使用される第２の電力レベルに少なくとも基づいて、前記電力ベースのペイロード制約を調整する手段と、
前記電力ベースのペイロード制約を送信する手段とを具備するシステム。
【発明の詳細な説明】
【関連出願に対する相互参照】
【０００１】
本出願は、２００９年５月１４日に出願され、その全体が参照により明白にここに組み込まれている、“複数のエアインターフェース上での同時送信をサポートする移動デバイスのための送信電力管理”と題する米国仮出願第６１／１７８，３７４号に対する第１１９条（ｅ）の優先権を主張する。
【発明の分野】
【０００２】
本発明は一般に、通信ネットワークおよびシステムに関する。特に、本発明は、複数のエアインターフェース上での同時送信をサポートする移動デバイスのための電力管理に対するシステムおよび方法に関する。
【関連技術の説明】
【０００３】
多くの形態のワイヤレス通信システムおよびネットワークが、限定ではないが、音声、ビデオ、マルチメディアおよびデータパケットを含む、さまざまな形態のデータを送信するために使用されている。いくつかのケースにおいて、そのようなネットワーク上で通信する移動デバイスは、複数のエアインターフェース（例えば、１ｘ、１ｘアドバンスド、ＥＶ−ＤＯ、ＵＭＴＳ（ＨＳＰＡ＋）、ＧＳＭ（登録商標）、ＧＰＲＳ、ＥＤＧＥ、ＬＴＥなど）による送信をサポートする。送信の間、移動デバイスは、レギュレーションを遵守するために、特定のレベルで、または特定のレベルよりも低い比吸収率（ＳＡＲ）を有することを必要とするかもしれない。これは、移動デバイスの全送信電力を、デバイスの使用（すなわち、ハンドヘルド、ヘルドアップトゥーザヘッドなど）に基づいて、特定の電力レベルに制限すべきであることを意味する。従来、移動デバイスは、一度に１つのエアインターフェースによって送信するだけであり、それゆえに、従来のシステムに関連する技術は、全送信電力が各エアインターフェースに対する送信電力レベルの合計である、複数のエアインターフェース上での同時送信をサポートする移動デバイスに対して送信電力を調整することを記述していない。したがって、ＳＡＲコンプライアンスを保証し、複数のエアインターフェース上での同時送信をサポートする移動デバイスに対する全スループットを最適化することが望まれる。
【発明の概要】
【０００４】
本発明のシステム、方法およびデバイスは、それぞれ、いくつかの観点を有し、観点のどの１つも、その望ましい属性を必ずしも担うものではない。特許請求の範囲により表現された発明の範囲を限定することなく、その特徴のいくつかを以下で簡潔に説明する。この説明を考慮した後、特に、“いくつかの実施形態の詳細な説明”と題するセクションを読んだ後に、複数のエアインターフェースによる同時通信を含む、本発明の有利な特徴を理解するだろう。
【０００５】
本発明の１つの観点は、複数のエアインターフェース上での同時送信をサポートする移動デバイスのための、電力管理の方法である。方法は、第１のエアインターフェースによって送信するために使用される第１の電力レベルを決定することと、第２のエアインターフェースによって送信するために使用される第２の電力レベルを決定することと、第１の電力レベルと第２の電力レベルとの合成を、しきい値電力レベルと比較することと、比較に基づいて、第２の電力レベルを調整することとを含む。
【０００６】
本発明の別の観点は、複数のエアインターフェース上での同時送信をサポートする移動デバイスのための、電力管理の方法である。方法は、第１のエアインターフェースによって送信するために使用される第１の電力レベルを決定することと、第２のエアインターフェースによって送信するために使用される第２の電力レベルを決定することと、第１の電力レベルに基づいて、第１の電力ベースのペイロード制約を発生させることと、第１の電力レベルに基づいて、第２の電力ベースのペイロード制約を発生させることと、第１および第２の電力ベースのペイロード制約を送信することとを含む。
【０００７】
本発明の別の観点は、複数のエアインターフェース上での同時送信をサポートする移動デバイスのための、電力管理の方法である。方法は、第１のエアインターフェースによって送信するために使用される第１の電力レベルを決定することと、第１の電力レベルに基づいて、電力ベースのペイロード制約を発生させることと、第２のエアインターフェースによって送信するために使用される第２の電力レベルに少なくとも基づいて、電力ベースのペイロード制約を調整することと、電力ベースのペイロード制約を送信することとを含む。
【０００８】
本発明の別の観点は、複数のエアインターフェース上での同時送信をサポートする移動デバイスである。移動デバイスは、第１のエアインターフェースによって送信するために使用される第１の電力レベルを決定するように構成されている第１のインターフェース電力計算機と、第２のエアインターフェースによって送信するために使用される第２の電力レベルを決定するように構成されている第２のインターフェース電力レベル計算機と、第１の電力レベルと第２の電力レベルとの合成を、しきい値電力レベルと比較するように構成されているしきい値チェックユニットと、比較に基づいて、第２の電力レベルを調整するように構成されている電力制御装置とを備える。
【０００９】
本発明の別の観点は、複数のエアインターフェース上での同時送信をサポートする移動デバイスである。移動デバイスは、第１のエアインターフェースによって送信するために使用される第１の電力レベルを決定するように構成されている第１のインターフェース電力計算機と、第２のエアインターフェースによって送信するために使用される第２の電力レベルを決定するように構成されている第２のインターフェース電力レベル計算機と、第１の電力レベルに基づいて、第１の電力ベースのペイロード制約を発生させ、第１の電力レベルに基づいて、第２の電力ベースのペイロード制約を発生させるように構成されている電力ベースのペイロード制約発生器と、第１および第２の電力ベースのペイロード制約を送信するように構成されているトランシーバとを備える。
【００１０】
本発明の別の観点は、複数のエアインターフェース上での同時送信をサポートする移動デバイスである。移動デバイスは、第１のエアインターフェースによって送信するために使用される第１の電力レベルを決定するように構成されている第１のインターフェース電力計算機と、第１の電力レベルに基づいて、電力ベースのペイロード制約を発生させ、第２のエアインターフェースによって送信するために使用される第２の電力レベルに少なくとも基づいて、電力ベースのペイロード制約を調整するように構成されている電力ベースのペイロード制約発生器と、電力ベースのペイロード制約を送信するように構成されているトランシーバとを備える。
【００１１】
本発明の別の観点は、コンピュータプログラムプロダクトである。コンピュータプログラムプロダクトは、コンピュータに、第１のエアインターフェースによって送信するために使用される第１の電力レベルを決定させ、第２のエアインターフェースによって送信するために使用される第２の電力レベルを決定させ、第１の電力レベルと第２の電力レベルとの合成を、しきい値電力レベルと比較させ、比較に基づいて、第２の電力レベルを調整させるためのコードを記憶しているコンピュータ読み取り可能媒体を備える。
【００１２】
本発明の別の観点は、コンピュータプログラムプロダクトである。コンピュータプログラムプロダクトは、コンピュータに、第１のエアインターフェースによって送信するために使用される第１の電力レベルを決定させ、第２のエアインターフェースによって送信するために使用される第２の電力レベルを決定させ、第１の電力レベルに基づいて、第１の電力ベースのペイロード制約を発生させ、第１の電力レベルに基づいて、第２の電力ベースのペイロード制約を発生させ、第１および第２の電力ベースのペイロード制約を送信させるためのコードを記憶しているコンピュータ読み取り可能媒体を備える。
【００１３】
本発明の別の観点は、コンピュータプログラムプロダクトである。コンピュータプログラムプロダクトは、コンピュータに、第１のエアインターフェースによって送信するために使用される第１の電力レベルを決定させ、第１の電力レベルに基づいて、電力ベースのペイロード制約を発生させ、第２のエアインターフェースによって送信するために使用される第２の電力レベルに少なくとも基づいて、前記電力ベースのペイロード制約を調整させ、電力ベースのペイロード制約を送信させるためのコードを記憶しているコンピュータ読み取り可能媒体を備える。
【００１４】
本発明の別の観点は、複数のエアインターフェース上での同時送信をサポートする移動デバイスに対する、電力管理のためのシステムである。システムは、第１のエアインターフェースによって送信するために使用される第１の電力レベルを決定する手段と、第２のエアインターフェースによって送信するために使用される第２の電力レベルを決定する手段と、第１の電力レベルと第２の電力レベルとの合成を、しきい値電力レベルと比較する手段と、比較に基づいて、第２の電力レベルを調整する手段とを備える。
【００１５】
本発明の別の観点は、複数のエアインターフェース上での同時送信をサポートする移動デバイスに対する、電力管理のためのシステムである。システムは、第１のエアインターフェースによって送信するために使用される第１の電力レベルを決定する手段と、第２のエアインターフェースによって送信するために使用される第２の電力レベルを決定する手段と、第１の電力レベルに基づいて、第１の電力ベースのペイロード制約を発生させる手段と、第１の電力レベルに基づいて、第２の電力ベースのペイロード制約を発生させる手段と、第１および第２の電力ベースのペイロード制約を送信する手段とを備える。
【００１６】
本発明の別の観点は、複数のエアインターフェース上での同時送信をサポートする移動デバイスに対する、電力管理のためのシステムである。システムは、第１のエアインターフェースによって送信するために使用される第１の電力レベルを決定する手段と、第１の電力レベルに基づいて、電力ベースのペイロード制約を発生させる手段と、第２のエアインターフェースによって送信するために使用される第２の電力レベルに少なくとも基づいて、電力ベースのペイロード制約を調整する手段と、電力ベースのペイロード制約を送信する手段とを備える。
【図面の簡単な説明】
【００１７】
【図１】図１は、２つのエアインターフェースによる同時通信に従事する例示的なワイヤレス通信デバイスを図示する図である。
【図２】図２は、例示的なワイヤレス通信デバイスの機能ブロック図である。
【図３】図３は、ワイヤレス通信デバイスの例示的な受信機の機能ブロック図である。
【図４】図４は、ワイヤレス通信デバイスの例示的な送信機の機能ブロック図である。
【図５】図５は、例示的なワイヤレス通信デバイスの機能ブロック図である。
【図６】図６は、例示的なアクセスポイントの機能ブロック図である。
【図７】図７は、複数のエアインターフェースに対する送信電力レベルを調整する例示的なプロセスのフローチャートである。
【図８】図８は、ワイヤレス通信デバイスに対する、電力ベースのペイロード制約を発生させる例示的なプロセスのフローチャートである。
【図９】図９は、ワイヤレス通信デバイスに対する、偏向された電力ベースのペイロード制約を発生させる例示的なプロセスのフローチャートである。
【いくつかの実施形態の詳細な説明】
【００１８】
ここで記述する技術は、コード分割多元接続（ＣＤＭＡ）ネットワークや、時分割多元接続（ＴＤＭＡ）ネットワークや、周波数分割多元接続（ＦＤＭＡ）ネットワークや、直交ＦＤＭＡ（ＯＦＤＭＡ）ネットワークや、単一搬送波ＦＤＭＡ（ＳＣ−ＦＤＭＡ）ネットワークなどのような、さまざまなワイヤレス通信ネットワークに対して使用してもよい。用語“ネットワーク”および“システム”は、区別なく使用されることが多い。ＣＤＭＡネットワークは、ユニバーサル地上無線アクセス（ＵＴＲＡ）、ｃｄｍａ２０００などのような無線技術を実現してもよい。ＵＴＲＡは、広帯域ＣＤＭＡ（ＷＣＤＭＡ）と、Ｌｏｗ Ｃｈｉｐ Ｒａｔｅ（ＬＣＲ）とを含む。ｃｄｍａ２０００は、ＩＳ−２０００、ＩＳ−９５およびＩＳ−８５６の標準規格をカバーする。ＴＤＭＡネットワークは、移動体通信用グローバルシステム（ＧＳＭ）のような無線技術を実現してもよい。ＯＦＤＭＡネットワークは、進化型ＵＴＲＡ（Ｅ−ＵＴＲＡ）や、ＩＥＥＥ８０２．１１や、ＩＥＥＥ８０２．１６や、ＩＥＥＥ８０２．２０や、フラッシュ−ＯＦＤＭ（登録商標）などのような無線技術を実現してもよい。ＵＴＲＡ、Ｅ−ＵＴＲＡおよびＧＳＭは、ユニバーサル移動体電気通信システム（ＵＭＴＳ）の一部である。ロングタームエボリューション（ＬＴＥ）は、Ｅ−ＵＴＲＡを使用するＵＭＴＳの、これから出てくるリリースである。ＵＴＲＡ、Ｅ−ＵＴＲＡ、ＧＳＭ、ＵＭＴＳおよびＬＴＥは、“第３世代パートナーシップ・プロジェクト”（３ＧＰＰ）と名付けられた組織からの文書で説明されている。ｃｄｍａ２０００は、“第３世代パートナーシップ・プロジェクト２”（３ＧＰＰ２）と名付けられた組織からの文書で説明されている。これらのさまざまな無線技術および標準規格は、技術的に知られている。
【００１９】
単一搬送波変調と、周波数領域の等化とを利用する単一搬送波周波数分割多元接続（ＳＣ−ＦＤＭＡ）が、１つの技術である。ＳＣ−ＦＤＭＡは、ＯＦＤＭＡシステムと類似の性能を有し、本質的に、ＯＦＤＭＡシステムと同じ全体の複雑さを有する。ＳＣ−ＦＤＭＡ信号は、その固有の単一搬送波構造のため、より低いピーク対平均電力比（ＰＡＰＲ）を有する。ＳＣ−ＦＤＭＡは、特にアップリンク通信において大きな注目を集めており、アップリンク通信では、より低いＰＡＰＲが、送信電力の効率の点で、移動端末のためになる。３ＧＰＰロングタームエボリューション（ＬＴＥ）または進化型ＵＴＲＡにおけるアップリンク多元接続スキームに対して、現在作業仮説がある。
【００２０】
複数のエアインターフェース上での同時送信をサポートする移動デバイスのための送信電力管理に関して、方法およびデバイスをここで記述する。記述した実施形態は、２つのエアインターフェースによって送信するワイヤレス通信デバイスに関連する。しかしながら、類似の方法およびデバイスを使用して、２つより多いエアインターフェースによって、送信をサポートしてもよいことを当業者は認識するだろう。
【００２１】
ここで記述したワイヤレス通信デバイスのいくつかの実施形態は、同時に、複数のエアインターフェースによって送信するように構成されている。例えば、ワイヤレス通信デバイスは、第１のエアインターフェース(例えば、１ｘ)によって音声を伝達し、第２のエアインターフェース（例えば、ＥＶ−ＤＯ）によってデータだけを伝達してもよい。第１のインターフェースによって音声を送信することは、音声信号が第１の電力レベルに増幅されるのを必要とするかもしれず、ここで、第１の電力レベルは、ある音声品質のレベルを維持するように選ばれてもよい。第１の電力レベルをより高い電力に設定することは、ワイヤレス通信デバイスによって送られるより強い信号をもたらし、その結果、エラーに左右されず、それゆえに、より高い品質の受信音声信号（例えば、より雑音が少ない）をもたらす可能性がある。
【００２２】
したがって、各エアインターフェースに対する、より高い送信電力レベルは、有益である。しかしながら、ワイヤレス通信デバイスは、第１および第２のエアインターフェースの両方による送信に対して利用可能な全電力レベルに制約されているかもしれない。例えば、全電力レベルは、ワイヤレス通信デバイスが特定のレベルで、または特定のレベルよりも低い比吸収率（ＳＡＲ）を有することを要求するレギュレーションによって制約されるかもしれない。したがって、複数のエアインターフェースによって送信するために使用される全電力レベルをワイヤレス通信デバイスによって管理する方法およびデバイスをここで記述する。
【００２３】
複数のエアインターフェースによる送信を、フレームまたはサブフレームに分割してもよい。いくつかの実施形態において、ここで記述する方法を使用して、個々に、各フレームまたはサブフレームに対して、複数のエアインターフェース間で電力を割り振ってもよい。他の実施形態において、本方法を使用して、複数のフレームまたはサブフレームに対して電力を割り振ってもよい。
【００２４】
図１は、２つのエアインターフェースによる同時通信に従事するワイヤレス通信デバイスを図示する図である。ワイヤレス通信デバイス１０Ａ、１０Ｂは、第１のエアインターフェース１１０Ａ、１１０Ｂと、第２のエアインターフェース１２０Ａ、１２０Ｂとを同時に確立できる。１つの実施形態において、第１のエアインターフェース１１０Ａ、１１０Ｂは、第１の周波数または周波数帯域によって規定される第１のチャネルにおいて確立され、第２のエアインターフェース１２０Ａ、１２０Ｂは、第１の周波数または周波数帯域とは異なる第２の周波数または周波数帯域により規定される第２のチャネルにおいて確立される。
【００２５】
図１中で描写されている例において示されているように、ワイヤレス通信デバイス１０Ａは、異なるアクセスポイント（ＡＰ１およびＡＰ２）１３０Ａ、１３０Ｂと、エアインターフェース１１０Ａ、１２０Ａを確立する。すなわち、第１のエアインターフェース１１０Ａは、アクセスポイント（ＡＰ１）１３０Ａと確立され、第２のエアインターフェース１２０Ａは、アクセスポイント（ＡＰ２）１３０Ｂと確立される。ワイヤレス通信デバイス１０Ｂは、単一のアクセスポイント（ＡＰ２）１３０Ｂとエアインターフェース１１０Ｂ、１２０Ｂを確立しているように示されている。
【００２６】
例示的な実施形態において、第１のエアインターフェース１１０Ａ、１１０Ｂは、１ｘＲＴＴトラフィックをサポートし、第２のエアインターフェース１２０Ａ、１２０Ｂは、ＥＶ−ＤＯトラフィック（ＥＶ−ＤＯ、ＥＶおよびＤＯは、Ｅｖｏｌｕｔｉｏｎ−Ｄａｔａ Ｏｎｌｙに対する略記である）をサポートする。１ｘ、１ｘＲＴＴおよびＩＳ−２０００としても知られている１ｘＲＴＴは、１ｔｉｍｅｓ Ｒａｄｉｏ Ｔｒａｎｓｍｉｓｓｉｏｎ Ｔｅｃｈｎｏｌｏｇｙの略記である。１ｘＲＴＴおよびＥＶ−ＤＯの両方は、ＣＤＭＡ２０００（コード分割多元接続２０００）のタイプと考えられる、３ＧＰＰ２（第３世代パートナーシップ・プロジェクト）によりにより維持されている無線信号によるデータのワイヤレス送信に対する電気通信の標準規格である。
【００２７】
他の実施形態において、第１のエアインターフェース１１０Ａ、１１０Ｂ、または、第２のエアインターフェース１２０Ａ、１２０Ｂは、１ｘアドバンスド、ＤＯ（リリース０、レビジョンＡまたはＢ）、ＵＭＴＳ（ＨＳＰＡ＋）、ＧＳＭ、ＧＰＲＳおよびＥＤＧＥ技術をサポートできる。
【００２８】
図２は、例示的なワイヤレス通信デバイス１０の機能ブロック図である。ワイヤレス通信デバイス１０は、プロセッサ２１０を含み、プロセッサ２１０は、メモリ２２０と、入力デバイス２３０と、出力デバイス２４０とにデータ結合している。プロセッサはさらに、モデム２５０およびトランシーバ２６０とデータ通信する。トランシーバ２６０はまた、モデム２５０およびアンテナ２７０とデータ通信する。別々に記述しているが、ワイヤレス通信デバイス１０に関して記述した機能ブロックは、別々の構造要素である必要がないことが理解されるであろう。例えば、プロセッサ２１０およびメモリ２２０は、単一のチップ中で具体化されてもよい。同様に、プロセッサ２１０、モデム２５０およびトランシーバ２６０のうちの２つ以上が、単一のチップ中で具体化されてもよい。さまざまな機能ブロックの他の統合が可能である。
【００２９】
プロセッサ２１０は、汎用のプロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで記述した機能を実行するように設計された、これらの任意の適切な組み合わせとすることができる。プロセッサは、計算デバイスの組み合わせとして、例えば、ＤＳＰおよびマイクロプロセッサの組み合わせとして、複数のマイクロプロセッサとして、ＤＳＰコアを伴う１つ以上のマイクロプロセッサとして、あるいは、他のそのような任意の構成として、実現してもよい。
【００３０】
プロセッサ２１０は、例えば、メモリ２２０から情報を読出し、または、メモリ２２０に情報を書き込むために、１つ以上のバスを介して、メモリ２２０に結合することができる。プロセッサは、さらに、プロセッサレジスタのようなメモリを含んでいてもよい。メモリ２２０は、プロセッサキャッシュを含んでいてもよく、プロセッサキャッシュは、異なるレベルが、異なる容量およびアクセス速度を有するマルチレベル階層キャッシュを含んでいる。メモリ２２０はまた、ランダムアクセスメモリ（ＲＡＭ）のような記憶媒体と、揮発性記憶デバイスおよび不揮発性記憶デバイスを含む他の記憶媒体とを含むことができる。そのような記憶媒体は、ハードドライブのような媒体と、コンパクトディスク（ＣＤ）またはデジタルビデオディスク（ＤＶＤ）のような光学ディスクと、フラッシュメモリと、フロッピー（登録商標）ディスクと、磁気テープと、Ｚｉｐドライブとのうちの１つ以上を含むことができる。
【００３１】
プロセッサ２１０は、入力デバイス２３０および出力デバイス２４０に結合していてもよく、入力デバイス２３０および出力デバイス２４０は、それぞれ、ワイヤレス通信デバイス１０のユーザからの入力を受け取り、ワイヤレス通信デバイス１０のユーザに出力を提供する。入力デバイスの例は、限定ではないが、キーボード、ボタン、キー、スイッチ、ポインティングデバイス、マウス、ジョイスティック、リモートコントロール、赤外線検出器、（ことによると、例えば、手のジェスチャーまたは顔のジェスチャーを検出するためのビデオ処理ソフトウェアと一体となった）ビデオカメラ、動き検出器、または、（ことによると、例えば、音声コマンドを検出するためのオーディオ処理ソフトウェアと一体となった）マイクロフォンを含む。適切な出力デバイスは、限定ではないが、ディスプレイおよびプリンターを含むビジュアル出力デバイスと、スピーカー、ヘッドフォン、イヤフォンおよびアラームを含むオーディオ出力デバイスと、フォースフィードバックゲームコントローラおよび振動デバイスを含む触覚出力デバイスとを含む。
【００３２】
プロセッサ２１０はさらに、モデム２５０およびトランシーバ２６０と結合していてもよい。モデム２５０およびトランシーバ２６０は、１つ以上のエアインターフェース標準規格にしたがって、アンテナ２７０によりワイヤレス送信するために、プロセッサ２１０によって生成されたデータを準備する。モデム２５０およびトランシーバ２６０はまた、１つ以上のエアインターフェース標準規格にしたがって、アンテナ２７０により受信したデータを復調する。トランシーバは通常、送信機と受信機とを含む。他の実施形態において、送信機および受信機は、別々のコンポーネントである。モデム２５０およびトランシーバ２６０は、汎用のプロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここで記述した機能を実行するように設計された、これらの任意の適切な組み合わせとして具体化することができる。
【００３３】
図３は、図２中で描写したトランシーバ２６０の受信機部分を含む、ワイヤレス通信デバイスの例示的な受信機の機能ブロック図である。アンテナ２７０上で受信した信号は、低雑音増幅器３１０によって増幅される。特定の実施形態次第で、増幅された信号は次に、ＳＡＷ（表面弾性波）フィルタ３２０を通過する。ＳＡＷフィルタは、圧電性結晶またはセラミックを材料として作られるデバイス中で、電気信号が機械的波動に変換される電気機械デバイスである。機械的波動は、それが、電極により電気信号に再度変換される前に、デバイスを横切って伝搬するときに遅延する。遅延した出力は、有限インパルス応答フィルタの直接のアナログ実現を生じさせるために、再結合される。信号は次に、乗算器３３０において、中心周波数ｆcと乗算され、ベースバンド信号が生成される。ベースバンド信号は次に、アナログローパスフィルタ３４０を通過し、アナログデジタルコンバータ３５０においてデジタル信号に変換され、デジタルローパスフィルタ３６０により再度フィルタリングされる。
【００３４】
信号は次に、Ｎ個の複数のパスに分割され、ここでＮは、少なくとも２である。各パスにおける各信号は、乗算器３７０において、異なる周波数ｆ1ないしｆNと乗算され、サンプラー３９０（サンプルＲＡＭ１ないしＮ）によりサンプリングされる前に、適切なフィルタ３８０に通される。復調、等化、デインターリービングおよび誤り訂正コーディングを含む、さらなる処理を、処理モジュール３９５、あるいは、図２中で示したモデム２５０またはプロセッサ２１０中で実行できる。
【００３５】
図４は、図２中で描写したトランシーバ２６０の送信機部分を含む、ワイヤレス通信デバイスの例示的な送信機の機能ブロック図である。いくつかの実施形態において、さまざまなブロックを、ソフトウェアおよび／またはファームウェアとして実現してもよい。送信機の機能は、受信機の機能と類似ているが、一般に逆である。１つの実施形態において、図２のプロセッサ２１０により生成されるデータは、処理モジュール４９５、モデム２５０またはプロセッサ２１０自身において、予備処理を受けてもよい。各チャネル（チャネル１ないしＮが示されている）に対するデータが、乗算器４７０において変調される前に、適切なフィルタ４８０に通される。各チャネルにおける変調信号は、加算器４５５において結合され、デジタルアナログコンバータ４５０においてアナログ信号に変換される。アナログ信号は、乗算器４３０において中心周波数に変調される前に、アナログローパスフィルタ４４０に通される。変調信号はオプションとして、アンテナ２７０によって送信するために、ＳＡＷフィルタ４２０および／または電力増幅器４１０に通されてもよい。
【００３６】
図５は、例示的なワイヤレス通信デバイスの機能ブロック図である。いくつかの実施形態において、さまざまなブロックを、ソフトウェアおよび／またはファームウェアとして実現してもよい。示されているように、ワイヤレス通信デバイス５００は、第１のインターフェース電力レベル計算機５０２を含む。１つの実施形態において、第１のインターフェース電力レベル計算機５０２は、第１のエアインターフェースによって送信するために使用される第１の電力レベルを計算する。ワイヤレス通信デバイス５００はまた、第２のインターフェース電力レベル計算機５０４を含む。１つの実施形態において、第２のインターフェース電力レベル計算機５０４は、第２のエアインターフェースによって送信するために使用される第２の電力レベルを計算する。第１のインターフェース電力レベル計算機５０２および第２のインターフェース電力レベル計算機５０４の両方は、しきい値チェックユニット５０６とデータ通信してもよい。しきい値チェックユニット５０６は、第１のエアインターフェースによる第１の電力レベルでの送信と、第２のインターフェースによる第２の電力レベルでの送信とが、しきい値を超える総送信電力をもたらすかどうかを決定するように構成されていてもよい。１つの実施形態において、しきい値は、ＳＡＲ制限に基づいて基づく。他の制限にしたがったしきい値が可能であることが理解されるであろう。しきい値チェックユニット５０６はまた、電力制御装置／増幅器５０８とデータ通信してもよい。電力制御装置／増幅器５０８は、第１の電力レベル、第２の電力レベル、または、第１および第２の電力レベルの両方を調整するように構成されていてもよい。電力制御装置／増幅器５０８は、トランシーバ５１２とデータ通信してもよい。トランシーバ５１２は、トランシーバ２６０と類似していてもよい。
【００３７】
１つの実施形態において、ワイヤレス通信デバイス５００は、電力ベースのペイロード制約発生器５１０を含む。第１のインターフェース電力レベル計算機５０２および第２のインターフェース電力レベル計算機５０４の両方は、電力ベースのペイロード制約発生器５１０とデータ通信してもよい。１つの実施形態において、電力ベースのペイロード制約発生器５１０は、電力ベースのペイロード制約（ＰＢＰＣ）（例えば、電力ヘッドルーム報告（ＰＨＲ））を発生させる。電力ベースのペイロード制約発生器５１０はまた、トランシーバ５１２とデータ通信してもよい。ＰＢＰＣは、第１のインターフェースおよび第２のインターフェースに対して計算された電力レベルを示す情報を含んでいてもよい。１つの実施形態において、電力ベースのペイロード制約発生器５１０は、第１のインターフェースおよび第２のインターフェースの両方に対して、単一のＰＢＰＣを発生させる。別の実施形態において、電力ベースのペイロード制約発生器５１０は、第１のインターフェースに対する第１のＰＢＰＣと、第２のインターフェースに対する第２のＰＢＰＣとを発生させる。１つの実施形態において、電力ベースのペイロード制約発生器は、第１のインターフェースまたは第２のエアインターフェースのいずれかにより使用される電力レベルに対する調整があるときのみＰＢＰＣを発生させる。別の実施形態において、電力ベースのペイロード制約発生器は、定期的にＰＢＰＣを発生させる。さらに別の実施形態において、電力ベースのペイロード制約発生器は、他のいくつかのイベントが発生した後に（例えば、データパケットを送信するときに）ＰＢＰＣを発生させる。以下で説明するように、トランシーバ５１２を使用して、１つ以上のアクセスポイントにＰＢＰＣを送信してもよい。
【００３８】
ワイヤレス通信デバイス５００の他の実施形態は、さらなるモジュールを含んでいてもよく、または、図５中で示したモジュールのすべてを含んでいなくてもよいことが理解されるであろう。
【００３９】
図６は、例示的なアクセスポイント６００の機能ブロック図である。アクセスポイント６００は、送信スケジューラ６０２を含み、送信スケジューラ６０２は、トランシーバ６０４、メモリ６０６およびプロセッサ６０８とデータ通信する。さらに、メモリ６０６は、プロセッサ６０８とデータ通信してもよい。１つの実施形態において、送信スケジューラ６０２は、ワイヤレス通信デバイス５００からの送信のスケジューリングを送信するように構成されていてもよい。アクセスポイント６００は、トランシーバ６０４においてＰＢＰＣを受信してもよく、送信スケジューラ６０２は、ワイヤレス通信デバイス５００による、第１のエアインターフェースおよび第２のエアインターフェースによる送信をスケジュールしてもよい。メモリ６０６は、異なるレベルが異なる容量とアクセス速度とを有するマルチレベル階層キャッシュを含む、プロセッサキャッシュを含んでいてもよい。メモリ６０６はまた、ランダムアクセスメモリ（ＲＡＭ）のような記憶媒体と、揮発性記憶デバイスおよび不揮発性記憶デバイスを含む他の記憶媒体とを含むことができる。そのような記憶媒体は、ハードドライブのような媒体と、コンパクトディスク（ＣＤ）またはデジタルビデオディスク（ＤＶＤ）のような光学ディスクと、フラッシュメモリと、フロッピーディスクと、磁気テープと、Ｚｉｐドライブとのうちの１つ以上を含んでいてもよい。
【００４０】
アクセスポイントの他の実施形態は、さらなるモジュールを含んでいてもよく、または、図６中で示したモジュールのすべてを含んでいなくてもよいことが理解されるであろう。
【００４１】
図７は、複数のエアインターフェースに対する送信電力レベルを調整するプロセスの例示的な実施形態を描写するフローチャートである。１つの実施形態において、プロセス７００は、ワイヤレス通信デバイス５００のさまざまなコンポーネントにより実行されてもよい。以下の記述は、ワイヤレス通信デバイス５００の１つの実施形態に関するプロセス７００の説明である。プロセス７００は、他のワイヤレス通信デバイスにより実行してもよく、さらに、プロセッサ７００は、以下で記述するコンポーネント以外の１つ以上のコンポーネントにより実行してもよいことが理解されるであろう。
【００４２】
プロセス７００は、ブロック７０２において開始する。ブロック７０４において、第１のインターフェース電力レベル計算機５０２が、第１のエアインターフェースによって送信するために使用される第１の電力レベルを決定する。ブロック７０６において、第２のエアインターフェースによって送信するために使用される第２の電力レベルが決定される。１つの実施形態において、第２のインターフェース電力レベル計算機５０４が、第２のエアインターフェースによって送信するために使用される第２の電力レベルを計算する。ブロック７０８において、しきい値チェックユニット５０６が、第１のエアインターフェースおよび第２のエアインターフェースによって送信するのに必要な総電力が、しきい値よりも大きいかどうかを決定する。１つの実施形態において、必要な総電力は、第１のエアインターフェースによって送信するために使用される第１の電力レベルと、第２のエアインターフェースによって送信するために使用される第２の電力レベルとの合計である。別の実施形態において、しきい値は、特定のＳＡＲ制限を達成するために必要な総送信電力に基づく。
【００４３】
ブロック７０８において、必要な総送信電力が、しきい値よりも大きくないことが決定された場合、いかなる電力調整も、電力レベルに対して実施されない。したがって、電力制御装置／増幅器５０８により、第１の電力レベルが、第１のエアインターフェースによる送信のために使用され、第２の電力レベルが、第２のエアインターフェースによる送信のために使用される。プロセスは、ブロック７１２において停止する。
【００４４】
ブロック７０８において、必要な総送信電力が、しきい値よりも大きいことが決定された場合、プロセス７００は、プロセス７１０に続く。ブロック７１０において、第１のエアインターフェースによる送信のために使用される第１の電力レベルおよび／または第２のエアインターフェースによる送信のために使用される第２の電力レベルが調整される。１つの実施形態において、総送信電力がしきい値よりも大きくないように、電力制御装置／増幅器５０８が、第１のエアインターフェースによる送信のために使用される第１の電力レベルおよび／または第２のエアインターフェースによる送信のために使用される第２の電力レベルを調整する。使用してもよい、電力調整スキームのさまざまな例を以下で説明する。
【００４５】
１つの実施形態において、第１のエアインターフェースが、優先されるエアインターフェースである。第１のエアインターフェースに対するリソースの割り振りは、第２のエアインターフェースよりも優先してもよい。すなわち、第１のエアインターフェースおよび第２のエアインターフェースによる送信に対する第１および第２の電力レベルの合成が、利用可能な総送信電力を超える場合、第２のエアインターフェースの電力レベルを最初にクリップしてもよい。利用可能な総送信電力が第１の電力レベルよりも小さいとき、第１のエアインターフェースの第１の電力レベルがクリップされる。
【００４６】
第１のエアインターフェースに対する第１の電力レベルがＶであり、第２のエアインターフェースに対して選ばれた電力レベルがＤであり、利用可能な全体の電力がＹである場合、電力は次のように割り振られる。Ｖ＋Ｄ≦Ｙのとき、第１のエアインターフェースにＶの電力レベルが割り振られてもよく、第２のエアインターフェースにＤの電力レベルが割り振られてもよい。Ｖ＋Ｄ＞ＹかつＶ＜Ｄのとき、第１のエアインターフェースにＶを割り振ってもよく、第２のエアインターフェースにＹ−Ｖを割り振ってもよい。Ｖ＋Ｄ＞ＹかつＶ≧Ｙのとき、第１のエアインターフェースに、利用可能な全電力レベルＹを割り振ってもよい。１つの実施形態において、電力レベルＶ、ＤおよびＹを、時間期間Ｔに対する時間平均電力として決定してもよい。それゆえに、Ｖ＋Ｄの平均電力レベルが、時間期間Ｔに対してＹに制限されるであろう。
【００４７】
別の実施形態において、総送信電力が、利用可能な総送信電力を超えないように、第１の電力レベルおよび第２の電力レベルの両方をクリップしてもよい。電力レベルを、均等に、比例して、または他の何らかの方法により、クリップしてもよい。第１の電力レベル、第２の電力レベル、および、利用可能な総送信電力は、時間期間Ｔに対する時間平均電力として、または、瞬時電力レベルとして、計算してもよい。
【００４８】
図８は、ワイヤレス通信デバイスに対する、電力ベースのペイロード制約を発生させるプロセス８００の例のフローチャートである。いくつかの実施形態において、プロセス８００は、ワイヤレス通信デバイス５００のさまざまなコンポーネントにより実行してもよい。以下の記述は、ワイヤレス通信デバイス５００の１つの実施形態に関するプロセス８００の説明である。プロセス８００は、他のワイヤレス通信デバイスにより実行してもよく、プロセス８００は、以下で記述するコンポーネント以外の１つ以上のコンポーネントにより実行してもよいことが理解されるであろう。
【００４９】
ブロック８０２において、ＰＢＰＣ発生器５１２が、第２のエアインターフェースによるアップリンク電力送信に対して必要とされる推定電力レベルに基づいて、第１のＰＢＰＣを発生させる。一般に、アップリンクは、ワイヤレス通信デバイスからアクセスポイントへの送信に対する通信リンクであり、ダウンリンクは、アクセスポイントからワイヤレス通信デバイスへの送信に対する通信リンクである。１つの実施形態において、第１のＰＢＰＣは、第２のエアインターフェースによるアップリンク電力送信に対して必要とされる推定電力レベルである。１つの実施形態において、第１のＰＢＰＣを、次の式を使用して計算してもよい：
ＰＢＰＣ＝ＰMAX−Ｏｖｒｈｄ        （１）
ここで、Ｐｍａｘ＝利用可能な総送信電力；および、Ｏｖｒｈｄ＝第２のエアインターフェース上でデータを送信するための送信オーバーヘッド（例えば、第２のエアインターフェースによって伝達される実際の音声またはデータを除いた、付加的な信号パラメータを送るのに必要とされる電力）である。
【００５０】
別の実施形態において、次の式を使用して、第１のＰＢＰＣを計算してもよい：
ＰＢＰＣ＝ＰMAX−｛１０ｌｏｇ（ＭPUSCH）＋Ｐo_PUSCH（ｊ）＋ａ（ｊ）＊ＰＬ＋ＤTF（ｉ）＋ｆ（ｉ）｝            （２）
ここで、Ｐｍａｘ＝利用可能な総送信電力；
ＭPUSCH（ｉ）＝所定のサブフレームｉに対する物理アップリンク共有チャネルの帯域幅（ＰＵＳＣＨ ＢＷ）；
Ｐo_PUSCH（ｊ）＝アップリンク（ＵＬ）許可が半永続的（ｊ＝０）であるか、ダイナミック（ｊ＝１）であるか、または、ランダムアクセス応答（ｊ＝２）であるかに基づく、セル固有の電力オフセットおよびワイヤレス通信デバイス固有の電力オフセットの合計であり、値は、ＵＬシグナリングにより設定される；
ｊ＝０，１に対して、ａ（ｊ）∈［０，．４，．５，．６，．７，．８，．９，１］；ｊ＝２に対して、ａ（ｊ）＝１；
ＰＬ＝ダウンリンクパス損失推定であり、ダウンリンク基準信号受信電力（ＲＳＰＲ）の測定値の関数である；
ＤＴＦ（ｉ）＝１０ｌｏｇ１０（２ＭＰＲ＊１．２５−１）であり、ここで、ＭＰＲ＝データ送信に対するビット／リソース要素である；
ｆ（ｉ）＝ｆ（ｉ−１）＋周波数分割複信（ＦＤＤ）蓄積モードに対するｄPUSCH（ｉ−４）であり、ｄPUSCHは、ＵＬシグナリングにより伝えられる、ワイヤレスデバイス固有の補正値である。
【００５１】
ブロック８０４において、ＰＢＰＣ発生器５１２は、第１のエアインターフェースによる送信のために使用される第１の電力レベルに基づいて、第２のＰＢＰＣを発生させる。１つの実施形態において、第２のＰＢＰＣは、第１のエアインターフェースによる送信に対して使用される第１の電力レベルを示す。別の実施形態において、第２のＰＢＰＣは、第１のエアインターフェースによる送信に対して使用される第１の電力レベルである。次に、ブロック８０６において、トランシーバ５１２が、１つ以上のアクセスポイントに対して、第１のＰＢＰＣと第２のＰＢＰＣとを送信する。
【００５２】
１つの実施形態において、アクセスポイント６００が、第１および第２のＰＢＰＣを受信する。送信スケジューラ６０２が次に、受信した第１および第２のＰＢＰＣに基づいて、アップリンクスケジューリングパラメータを選択してもよい。アクセスポイント６００は次に、第１および第２のＰＢＰＣを送ったワイヤレス通信デバイスに対して、送信スケジュールおよび／またはアップリンクスケジュールパラメータを送信してもよい。したがって、スケジュールは、ワイヤレス通信デバイスがアクセスポイントに送信するときの電力レベルおよびタイミングを示す。第１のエアインターフェースおよび第２のエアインターフェースによる送信に対する全送信電力が、図７に関して記述したしきい値レベルを超えないように、スケジュールを設定してもよい。
【００５３】
図９は、ワイヤレス通信デバイスに対する、偏向された電力ベースのペイロード制約を発生させる例示的なプロセスのフローチャートである。いくつかの実施形態において、プロセス９００は、ワイヤレス通信デバイス５００のさまざまなコンポーネントによって実行してもよい。以下の記述は、ワイヤレス通信デバイス５００の１つの実施形態に関するプロセス９００の説明である。プロセス９００は、他のワイヤレス通信デバイスによって実行してもよく、プロセス９００のステップは、以下で記述するコンポーネント以外のコンポーネントによって実行してもよいことに注目すべきである。
【００５４】
ブロック９０２において、ＰＢＰＣ発生器５１２が、第２のエアインターフェースによるアップリンク電力送信に対して必要とされる推定電力レベルに基づいて、ＰＢＰＣを発生させる。ステップ９０２は、いくつかの実施形態において、ステップ８０２に類似していてもよい。次に、ステップ９０４において、ＰＢＰＣ発生器５１２は、第１のエアインターフェースによる送信に対して使用される第１の電力レベルに基づいて、ＰＢＰＣを偏向させる（すなわち、調整する）。例えば、１つの実施形態において、ＰＢＰＣを、第１の電力レベルだけ低減させてもよい。別の実施形態において、第１の電力レベル、時間に対する第１の電力レベルの変化率、時間に対する第１の電力レベルの変化の方向、および／または、ワイヤレス通信デバイスにおいて受信されるリバースリンク電力制御コマンド、に基づいて、ＰＢＰＣを別の量だけ低減させてもよい。次に、ブロック９０６において、トランシーバ５１２は、ＰＢＰＣをアクセスポイントに送信する。
【００５５】
１つの実施形態において、アクセスポイント６００は、ＰＢＰＣを受信する。送信スケジューラ６０２は、受信したＰＢＰＣに基づいて、アップリンクスケジューリングパラメータを選択してもよい。アクセスポイント６００は次に、ＰＢＰＣを送ったワイヤレス通信デバイスに対して、送信スケジュールおよび／またはアップリンクスケジュールパラメータを送信してもよい。したがって、スケジュールは、ワイヤレス通信デバイスがアクセスポイントに送信するときの電力レベルおよびタイミングを示す。第１のエアインターフェースおよび第２のエアインターフェースによる送信に対する全送信電力が、図７に関して記述したしきい値レベルを超えないように、スケジュールを設定してもよい。
【００５６】
本明細書は、本発明の特定の例を記述するが、当業者は、発明の概念から逸脱することなく、本発明のバリエーションを考案できる。例えば、ここでの教示は、回路交換ネットワークエレメントを参照するが、パケット交換ドメインネットワークエレメントに対しても同様に適用可能である。
【００５７】
さまざまな異なる技術および技法のいずれかを使用して情報および信号を表わしてもよいことを、当業者は理解するであろう。例えば、電圧、電流、電磁波、磁界または磁気粒子、光領域または光粒子、あるいはそれらの任意の組み合わせにより、上の記述を通して参照されているデータ、命令、コマンド、情報、信号、ビット、シンボルおよびチップを表わしてもよい。
【００５８】
電子ハードウェア、コンピュータソフトウェアまたは両方の組み合わせとして、ここで開示した例に関して記述したさまざまな実例となる論理ブロック、モジュール、回路、方法およびアルゴリズムを実現してもよいことを、当業者はさらに理解するであろう。ハードウェアおよびソフトウェアのこの互換性を明瞭に説明するために、さまざまな実例となるコンポーネント、ブロック、モジュール、回路、方法およびアルゴリズムをそれらの機能の点から一般的に上述した。このような機能がハードウェアまたはソフトウェアとして実現されるかどうかは、特定の用途およびシステム全体に課される設計制約に依存する。当業者は、各特定の用途に対して、さまざまな方法で、記述した機能を実現するかもしれないが、そのような実現の決定は、本開示の範囲からの逸脱を生じさせるものとして解釈すべきではない。
【００５９】
汎用プロセッサ、デジタル信号プロセッサ（ＤＳＰ），特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、あるいはここで記述した機能を実行するために設計された、これらの任意の組み合わせにより、ここで開示した例に関して記述した、さまざまな実例となる、論理ブロック、モジュールおよび回路を実現または実行してもよい。汎用プロセッサはマイクロプロセッサでもよいが、代わりに、プロセッサは任意の従来のプロセッサ、制御装置、マイクロ制御装置、または状態遷移機械であってもよい。計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として、プロセッサを実現してもよい。
【００６０】
ここで開示した例に関して記述した方法またはアルゴリズムを、ハードウェア中で直接、プロセッサにより実行されるソフトウェアモジュール中で、またはその２つの組み合わせ中で具体化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ，または技術的に知られている他の任意の形態の記憶媒体中に存在してもよい。プロセッサが記憶媒体から情報を読み取ることができ、記憶媒体に情報を書き込むことができるように、記憶媒体をプロセッサに結合してもよい。代わりに、記憶媒体はプロセッサと一体化されていてもよい。プロセッサおよび記憶媒体は、ＡＳＩＣ中に存在してもよい。
【００６１】
１つ以上の例示的な設計において、記述した機能は、ハードウェア、ソフトウェア、ファームウェア、またはこれらの任意の組み合わせ中で実現してもよい。ソフトウェアにおいて実現する場合、コンピュータ読み取り可能媒体上に、１つ以上の命令またはコードとして、機能を記憶させてもよく、または機能を送信してもよい。コンピュータ読み取り可能媒体は、コンピュータ記憶媒体と、ある場所から別の場所へコンピュータプログラムの転送を容易にする何らかの媒体を含む通信媒体との両方を含む。記憶媒体は、汎用または特殊用途のコンピュータによりアクセスできる任意の利用可能な媒体であってもよい。一例として、限定ではないが、そのようなコンピュータ読み取り可能媒体は，ＲＡＭ、ＲＯＭ、ＥＥＰＲＯＭ、ＣＤ−ＲＯＭまたは他の光学ディスク記憶装置、磁気ディスク記憶装置または他の磁気記憶デバイス、あるいは、命令またはデータ構造の形態で所望のプログラムコード手段を搬送または記憶するために使用でき、そして、汎用用途または特殊用途のコンピュータ、あるいは、汎用用途または特殊用途のプロセッサによりアクセスできる他の任意の媒体を備えることができる。さらに、いくつかの接続は、適切にコンピュータ読み取り可能媒体と呼ばれる。例えば、ソフトウェアが、同軸ケーブル、光ファイバケーブル、ツイストペア線、デジタル加入者線（ＤＳＬ）、または、赤外線、無線、およびマイクロ波のようなワイヤレス技術を使用して、ウェブサイト、サーバまたは他のリモート情報源から送信される場合、同軸ケーブル、光ファイバケーブル、ツイストペア線、ＤＳＬ、または、赤外線、無線、およびマイクロ波のようなワイヤレス技術は、媒体の定義に含まれる。ここで使用されるディスク（Ｄｉｓｋおよびｄｉｓｃ）は、コンパクトディスク（ＣＤ）、レーザーディスク（登録商標）、光ディスク、デジタルバーサタイルディスク（ＤＶＤ）、フロッピー（登録商標）ディスク、およびブルーレイディスクを含み、ディスク（ｄｉｓｋ）は通常、磁気的にデータを再生し、一方、ディスク（ｄｉｓｃ）は、レーザにより光学的にデータを再生する。上述の組み合わせもまた、コンピュータ読み取り可能媒体の範囲内に含まれるべきである。
【００６２】
いかなる当業者であっても本開示を実施しまたは使用できるように、開示した例の記述をこれまでに提供している。これらの例に対してさまざまな修正が当業者に容易に明らかであり、本開示の精神または範囲から逸脱することなく、ここで規定した一般的な原理を、他の例に適用してもよい。したがって、本発明は、ここで示した例に限定されるように向けられておらず、ここで開示した原理および新規な特徴に矛盾しない最も広い範囲に一致すべきである。
以下に、本願出願の当初の特許請求の範囲に記載された発明を付記する。
［１］複数のエアインターフェース上での同時送信をサポートする移動デバイスに対する、電力管理のための方法において、
前記方法は、
第１のエアインターフェースによって送信するために使用される第１の電力レベルを決定することと、
第２のエアインターフェースによって送信するために使用される第２の電力レベルを決定することと、
前記第１の電力レベルと前記第２の電力レベルとの合成を、しきい値電力レベルと比較することと、
前記比較に基づいて、前記第２の電力レベルを調整することと、
前記第１の電力レベルと、前記調整された第２の電力レベルとのうちの少なくとも１つに基づくことを含んで、少なくとも１つの電力ヘッドルーム報告を発生させることと、
前記少なくとも１つの電力ヘッドルーム報告を送信することとを含む方法。
［２］前記第２の電力レベルを調整することは、前記第１の電力レベルと前記第２の電力レベルとの合計が、前記しきい値電力レベルよりも小さいように、または、前記しきい値電力レベルと等しいように、前記第２の電力レベルを調整することを含む上記［１］記載の方法。
［３］前記比較に基づいて、前記第１の電力レベルを調整することをさらに含み、
前記調整された第１の電力レベルと、前記調整された第２の電力レベルとの合成は、前記しきい値電力レベルよりも小さいか、または、前記しきい値電力レベルと等しい上記［１］記載の方法。
［４］前記第１のエアインターフェースは、電力の割り振りに対して、前記第２のエアインターフェースよりも優先される上記［１］記載の方法。
［５］前記少なくとも１つの電力ヘッドルーム報告を送信することは、前記第１のエアインターフェースによって第１の電力ヘッドルーム報告を送信することと、前記第２のエアインターフェースによって第２の電力ヘッドルーム報告を送信することとを含む上記［１］記載の方法。
［６］複数のエアインターフェース上での同時送信をサポートする移動デバイスに対する、電力管理のための方法において、
前記方法は、
第１のエアインターフェースによって送信するために使用される第１の電力レベルを決定することと、
第２のエアインターフェースによって送信するために使用される第２の電力レベルを決定することと、
前記第１の電力レベルに基づいて、第１の電力ベースのペイロード制約を発生させることと、
前記第１の電力レベルに基づいて、第２の電力ベースのペイロード制約を発生させることと、
前記第１および第２の電力ベースのペイロード制約を送信することとを含む方法。
［７］送信スケジュールを受信することと、前記送信スケジュールに基づいて、前記第１の電力レベルと、前記第２の電力レベルとのうちの少なくとも１つを調整することとをさらに含む上記［６］記載の方法。
［８］複数のエアインターフェース上での同時送信をサポートする移動デバイスに対する、電力管理のための方法において、
前記方法は、
第１のエアインターフェースによって送信するために使用される第１の電力レベルを決定することと、
前記第１の電力レベルに基づいて、電力ベースのペイロード制約を発生させることと、
第２のエアインターフェースによって送信するために使用される第２の電力レベルに少なくとも基づいて、前記電力ベースのペイロード制約を調整することと、
前記電力ベースのペイロード制約を送信することとを含む方法。
［９］送信スケジュールを受信することと、前記送信スケジュールに基づいて、前記第１の電力レベルと、前記第２の電力レベルとのうちの少なくとも１つを調整することとをさらに含む上記［８］記載の方法。
［１０］前記第１の電力レベルの変化率に基づいて、前記電力ベースのペイロード制約を調整することをさらに含む上記［８］記載の方法。
［１１］前記第１の電力レベルの変化の方向に基づいて、前記電力ベースのペイロード制約を調整することをさらに含む上記［８］記載の方法。
［１２］複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
第２のエアインターフェースによって送信するために使用される第２の電力レベルを決定するように構成されている第２のインターフェース電力レベル計算機と、
前記第１の電力レベルと前記第２の電力レベルとの合成を、しきい値電力レベルと比較するように構成されているしきい値チェックユニットと、
前記比較に基づいて、前記第２の電力レベルを調整するように構成されている電力制御装置と、
前記第１の電力レベルと、前記調整された第２の電力レベルとのうちの少なくとも１つに基づくことを含んで、少なくとも１つの電力ヘッドルーム報告を発生させるように構成されている電力ベースのペイロード制約発生器と、
前記少なくとも１つの電力ヘッドルーム報告を送信するように構成されている少なくとも１つのトランシーバとを具備する移動デバイス。
［１３］前記電力制御装置は、前記第１の電力レベルと前記第２の電力レベルとの合計が、前記しきい値電力レベルよりも小さいように、または、前記しきい値電力レベルと等しいように、前記第２の電力レベルを調整することにより、前記第２の電力レベルを調整するようにさらに構成されている上記［１２］記載の移動デバイス。
［１４］前記電力制御装置は、前記比較に基づいて、前記第１の電力レベルを調整するようにさらに構成されており、前記調整された第１の電力レベルと、前記調整された第２の電力レベルとの合成は、前記しきい値電力レベルよりも小さいか、または、前記しきい値電力レベルと等しい上記［１２］記載の移動デバイス。
［１５］前記第１のエアインターフェースは、電力の割り振りに対して、前記第２のエアインターフェースよりも優先される上記［１２］記載の移動デバイス。
［１６］前記少なくとも１つの電力ヘッドルーム報告を送信することは、前記第１のエアインターフェースによって第１の電力ヘッドルーム報告を送信することと、前記第２のエアインターフェースによって第２の電力ヘッドルーム報告を送信することとを含むように、前記少なくとも１つのトランシーバは、さらに構成されている上記［１２］記載の移動デバイス。
［１７］複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
第２のエアインターフェースによって送信するために使用される第２の電力レベルを決定するように構成されている第２のインターフェース電力レベル計算機と、
前記第１の電力レベルに基づいて、第１の電力ベースのペイロード制約を発生させ、前記第１の電力レベルに基づいて、第２の電力ベースのペイロード制約を発生させるように構成されている電力ベースのペイロード制約発生器と、
前記第１および第２の電力ベースのペイロード制約を送信するように構成されているトランシーバとを具備する移動デバイス。
［１８］前記トランシーバは、送信スケジュールを受信するようにさらに構成されており、前記送信スケジュールに基づいて、前記第１の電力レベルと、前記第２の電力レベルとのうちの少なくとも１つを調整するように構成されている電力制御装置をさらに具備する上記［１７］記載の移動デバイス。
［１９］複数のエアインターフェース上での同時送信をサポートする移動デバイスにおいて、
前記移動デバイスは、
第１のエアインターフェースによって送信するために使用される第１の電力レベルを決定するように構成されている第１のインターフェース電力計算機と、
前記第１の電力レベルに基づいて、電力ベースのペイロード制約を発生させ、第２のエアインターフェースによって送信するために使用される第２の電力レベルに少なくとも基づいて、前記電力ベースのペイロード制約を調整するように構成されている電力ベースのペイロード制約発生器と、
前記電力ベースのペイロード制約を送信するように構成されているトランシーバとを具備する移動デバイス。
［２０］前記トランシーバは、送信スケジュールを受信するようにさらに構成されており、前記送信スケジュールに基づいて、前記第１の電力レベルと、前記第２の電力レベルとのうちの少なくとも１つを調整するように構成されている電力制御装置をさらに具備する上記［１９］記載の移動デバイス。
［２１］前記電力ベースのペイロード制約発生器は、前記第１の電力レベルの変化率に基づいて、前記電力ベースのペイロード制約を調整するようにさらに構成されている上記［１９］記載の移動デバイス。
［２２］前記第１の電力レベルの変化の方向に基づいて、前記電力ベースのペイロード制約を調整するように構成されている電力制御装置をさらに具備する上記［１９］記載の移動デバイス。
［２３］コンピュータプログラムプロダクトにおいて、
コンピュータ読み取り可能媒体を具備し、
前記コンピュータ読み取り可能媒体は、
第１のエアインターフェースによって送信するために使用される第１の電力レベルをコンピュータに決定させるためのコードと、
第２のエアインターフェースによって送信するために使用される第２の電力レベルをコンピュータに決定させるためのコードと、
コンピュータに、前記第１の電力レベルと前記第２の電力レベルとの合成を、しきい値電力レベルと比較させるためのコードと、
前記比較に基づいて、前記第２の電力レベルをコンピュータに調整させるためのコードと、
前記第１の電力レベルと、前記調整された第２の電力レベルとのうちの少なくとも１つに基づくことを含んで、少なくとも１つの電力ヘッドルーム報告をコンピュータに発生させるためのコードと、
前記少なくとも１つの電力ヘッドルーム報告をコンピュータに送信させるためのコードとを含むコンピュータプログラムプロダクト。
［２４］コンピュータプログラムプロダクトにおいて、
コンピュータ読み取り可能媒体を具備し、
前記コンピュータ読み取り可能媒体は、
第１のエアインターフェースによって送信するために使用される第１の電力レベルをコンピュータに決定させるためのコードと、
第２のエアインターフェースによって送信するために使用される第２の電力レベルをコンピュータに決定させるためのコードと、
前記第１の電力レベルに基づいて、第１の電力ベースのペイロード制約をコンピュータに発生させるためのコードと、
前記第１の電力レベルに基づいて、第２の電力ベースのペイロード制約をコンピュータに発生させるためのコードと、
前記第１および第２の電力ベースのペイロード制約をコンピュータに送信させるためのコードとを含むコンピュータプログラムプロダクト。
［２５］コンピュータプログラムプロダクトにおいて、
コンピュータ読み取り可能媒体を具備し、
前記コンピュータ読み取り可能媒体は、
第１のエアインターフェースによって送信するために使用される第１の電力レベルをコンピュータに決定させるためのコードと、
前記第１の電力レベルに基づいて、電力ベースのペイロード制約をコンピュータに発生させるためのコードと、
第２のエアインターフェースによって送信するために使用される第２の電力レベルに少なくとも基づいて、前記電力ベースのペイロード制約をコンピュータに調整させるためのコードと、
前記電力ベースのペイロード制約をコンピュータに送信させるためのコードとを含むコンピュータプログラムプロダクト。
［２６］複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
第２のエアインターフェースによって送信するために使用される第２の電力レベルを決定する手段と、
前記第１の電力レベルと前記第２の電力レベルとの合成を、しきい値電力レベルと比較する手段と、
前記比較に基づいて、前記第２の電力レベルを調整する手段と、
前記第１の電力レベルと、前記調整された第２の電力レベルとのうちの少なくとも１つに基づくことを含んで、少なくとも１つの電力ヘッドルーム報告を発生させる手段と、
前記少なくとも１つの電力ヘッドルーム報告を送信する手段とを具備するシステム。
［２７］複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
第２のエアインターフェースによって送信するために使用される第２の電力レベルを決定する手段と、
前記第１の電力レベルに基づいて、第１の電力ベースのペイロード制約を発生させる手段と、
前記第１の電力レベルに基づいて、第２の電力ベースのペイロード制約を発生させる手段と、
前記第１および第２の電力ベースのペイロード制約を送信する手段とを具備するシステム。
［２８］複数のエアインターフェース上での同時送信をサポートする移動デバイスに対する、電力管理のためのシステムにおいて、
前記システムは、
第１のエアインターフェースによって送信するために使用される第１の電力レベルを決定する手段と、
前記第１の電力レベルに基づいて、電力ベースのペイロード制約を発生させる手段と、
第２のエアインターフェースによって送信するために使用される第２の電力レベルに少なくとも基づいて、前記電力ベースのペイロード制約を調整する手段と、
前記電力ベースのペイロード制約を送信する手段とを具備するシステム。
【図１】
0005221817.tif 000002
【図２】
0005221817.tif 000003
【図３】
0005221817.tif 000004
【図４】
0005221817.tif 000005
【図５】
0005221817.tif 000006
【図６】
0005221817.tif 000007
【図７】
0005221817.tif 000008
【図８】
0005221817.tif 000009
【図９】
0005221817.tif 000010